(57)【要約】【課題】  ＩＰ電話機と非ＩＰ電話機とを同等に管理可能にし、ＩＰ電話機に係る呼接続制御を回線交換方式による動作と類似性を持たせ呼接続制御に係る動作を簡素化する。【解決手段】  電話機３０の収容位置情報を管理して交換接続を行う電話交換装置１において、ＩＰ電話機３２に対し仮想的に収容位置情報を割り当て、また、内線ＩＰユニット１３でＩＰ電話機３２のＩＰアドレスと仮想的に割り当てた収容位置情報とを対応付けて、ＩＰ電話機３２に係る発信若しくは着信に際し、中央制御装置１６は電話番号から仮想的に割り当てた収容位置情報を読み出して、内線ＩＰユニット１３に対し、仮想的に割り当てた収容位置情報によってＩＰ電話機３２の交換接続の要求を行い、内線ＩＰユニット１３は、仮想的に割り当てた収容位置情報を基にＩＰ電話機３２のＩＰアドレスを求めて、交換接続に係る制御情報をやり取りする。【選択図】  図１
2010187241.tif 000002
【特許請求の範囲】
【請求項１】
非ＩＰ電話機を収容しており、当該非ＩＰ電話機の収容位置情報を管理し、当該収容位置情報に電話番号を対応付けておくことにより、非ＩＰ電話機間の交換接続を行う電話交換装置において、
ＩＰ電話機に対して仮想的に収容位置情報を割り当て、かつ、当該仮想的に割り当てた収容位置情報にＩＰ電話機の電話番号を対応付ける仮想収容位置対応付け手段と、
ＩＰ電話機を接続するＩＰユニットであって、ＩＰ電話機のアドレス情報と前記仮想的に割り当てた収容位置情報とを対応付ける手段を有するＩＰユニットと、
ＩＰ電話機に係る発信若しくは着信に際し、仮想収容位置対応付け手段を用いて電話番号から前記仮想的に割り当てた収容位置情報を読み出して、前記ＩＰユニットに対し、当該仮想的に割り当てた収容位置情報によってＩＰ電話機の交換接続の要求を行う交換制御手段と、を備え、
前記ＩＰユニットは、前記交換制御手段から得た前記仮想的に割り当てた収容位置情報を基に交換制御の対象となるＩＰ電話機のアドレス情報を求めて、当該アドレス情報によって交換接続に係る制御情報をやり取りし、当該ＩＰ電話機の通話路を確立することを特徴とする電話交換装置。
【請求項２】
前記ＩＰユニットは、ＩＰ電話機との通話との間で通話路を設定するための音声処理回路と、当該ＩＰ電話機とＩＰによって音声通話路を確立する手段と、を備えており、
前記音声処理回路を介して、当該ＩＰ電話機と非ＩＰ電話機間の通話路を設定することを特徴とする請求項１に記載の電話交換装置。
【請求項３】
前記ＩＰユニットの音声処理回路は複数設けられており、前記交換制御手段は、当該ＩＰ電話機とＩＰによって音声通話路を確立する場合に、通話路を確立するために用いる音声処理回路を一つ選択することを特徴とする請求項２に記載の電話交換装置。
【請求項４】
前記交換制御手段は、ＩＰ電話機とＩＰ電話機間の交換接続であることを認識すると、それら両方のＩＰ電話機に対して通話相手のアドレス情報を通知し、ＩＰによってＩＰ電話機とＩＰ電話機間で直接音声通話路を確立するように指示することを特徴とする請求項１に記載の電話交換装置。
【請求項５】
非ＩＰ電話機を収容しており、当該非ＩＰ電話機の収容位置情報を管理し、当該収容位置情報に電話番号を対応付けておくことにより、非ＩＰ電話機間の交換接続を行う電話交換装置の呼接続制御方法において、
ＩＰ電話機に対して仮想的に収容位置情報を割り当て、かつ、当該仮想的に割り当てた収容位置情報にＩＰ電話機の電話番号を対応付ける仮想収容位置対応付けてし、
ＩＰ電話機を接続するＩＰユニットによって、ＩＰ電話機のアドレス情報と前記仮想的に割り当てた収容位置情報とを対応付けし、
ＩＰ電話機に係る発信若しくは着信に際し、電話番号から前記仮想的に割り当てた収容位置情報を読み出して、当該仮想的に割り当てた収容位置情報によってＩＰ電話機の交換接続を要求し、
前記ＩＰユニットは、当該交換接続の要求に応じ、前記仮想的に割り当てた収容位置情報を基に交換制御の対象となるＩＰ電話機のアドレス情報を求めて、当該アドレス情報によって交換接続に係る制御情報をやり取りし、当該ＩＰ電話機の通話路を確立することを特徴とする呼接続制御方法。
【発明の詳細な説明】
【技術分野】
【０００１】
本発明は、構内電話交換機やボタン電話装置等の電話交換装置及び呼接続制御方法に係り、特に、２線式で接続されるアナログ電話機やデジタル多機能電話機等の回線交換方式にて接続される電話機と、インターネット・プロトコル（ＩＰ）によってローカルエリアネットワーク（ＬＡＮ）を介してパケット型データにて交換接続されるＩＰ電話機の両方を収容して構成する電話交換装置及び呼接続制御方法に関する。
【背景技術】
【０００２】
ＩＰ電話機の普及により、回線交換方式で作動する電話交換装置にＩＰ電話機を接続可能にした電話交換装置が出現してきた。２線式で接続されるアナログ電話機やデジタル多機能電話機等の回線交換方式にて接続される電話機（以下、「非ＩＰ電話機」という）は、電話交換装置が具備する回線交換方式の交換スイッチ（タイムスイッチ等）にて交換接続されるのに対して、ＩＰ電話機はＬＡＮ上のＩＰパケットで交換接続されるものであるため、その取扱が異なる。
【０００３】
従って、ＩＰ電話機と非ＩＰ電話機との両方を収容する場合には、これら両方の端末の特性を意識して電話交換装置の呼接続制御をする必要がある。特に、非ＩＰ電話機は、電話交換装置（交換スイッチ）への収容位置によって種々の管理が可能であったが、ＩＰ電話機には収容位置という概念が取れないため、ＩＰ電話機と非ＩＰ電話機とでは異なる管理形態をとる必要があり、呼接続制御も複雑なものであった。
【０００４】
例えば、特開２００８−３５４７６号公報（特許文献１）には、ＩＰ電話機と非ＩＰ電話機とを混在して収容し、これらの間の接続を可能にする呼接続制御の技術が開示されているが、電話交換装置の呼制御部（中央制御装置など）は、制御対象の電話機がＩＰ電話機のとき、ＩＰ電話機であることを意識しつつ呼接続制御している。
【０００５】
なお、ＩＰ電話機と非ＩＰ電話機とを混在して収容する電話交換装置に関する技術として、特開２００６−１９７２６０号公報（特許文献２）、特開２００５−１１７３８９号公報（特許文献３）、特開２００５−１１７３９０号公報（特許文献４）等も挙げられる。
【先行技術文献】
【特許文献】
【０００６】
【特許文献１】特開２００８−３５４７６号公報
【特許文献２】特開２００６−１９７２６０号公報
【特許文献３】特開２００５−１１７３８９号公報
【特許文献４】特開２００５−１１７３９０号公報
【発明の概要】
【発明が解決しようとする課題】
【０００７】
上記従来技術は、ＩＰ電話機と非ＩＰ電話機とを混在して収容し、これらの間の接続を可能とするために、呼制御部（中央制御装置など）は、非ＩＰ電話機は従来どおり収容位置に基づく非ＩＰ電話機の管理を行い、ＩＰ電話機は非ＩＰ電話機とは異なるＩＰ電話機独自の管理を行う必要があるため、その管理が複雑になると共に、呼接続制御に係る動作も複雑になるという課題があった。
【０００８】
本願発明の目的は、ＩＰ電話機と非ＩＰ電話機とを同等に管理可能にして、ＩＰ電話機に係る呼接続制御を回線交換方式による動作と類似性を持たせ、呼接続制御に係る動作が簡素化される電話交換装置及び呼接続制御方法を提供することにある。
【課題を解決するための手段】
【０００９】
本発明の電話交換装置は、非ＩＰ電話機を収容しており、当該非ＩＰ電話機の収容位置情報を管理し、当該収容位置情報に電話番号を対応付けておくことにより、非ＩＰ電話機間の交換接続を行う電話交換装置において、ＩＰ電話機に対して仮想的に収容位置情報を割り当て、かつ、当該仮想的に割り当てた収容位置情報にＩＰ電話機の電話番号を対応付ける仮想収容位置対応付け手段と、ＩＰ電話機を接続するＩＰユニットであって、ＩＰ電話機のアドレス情報と前記仮想的に割り当てた収容位置情報とを対応付ける手段を有するＩＰユニットと、ＩＰ電話機に係る発信若しくは着信に際し、仮想収容位置対応付け手段を用いて電話番号から前記仮想的に割り当てた収容位置情報を読み出して、前記ＩＰユニットに対し、当該仮想的に割り当てた収容位置情報によってＩＰ電話機の交換接続の要求を行う交換制御手段と、を備え、前記ＩＰユニットは、前記交換制御手段から得た前記仮想的に割り当てた収容位置情報を基に交換制御の対象となるＩＰ電話機のアドレス情報を求めて、当該アドレス情報によって交換接続に係る制御情報をやり取りし、当該ＩＰ電話機の通話路を確立することを特徴とする。
【００１０】
また、本発明の呼接続制御方法は、非ＩＰ電話機を収容しており、当該非ＩＰ電話機の収容位置情報を管理し、当該収容位置情報に電話番号を対応付けておくことにより、非ＩＰ電話機間の交換接続を行う電話交換装置のにおいて、ＩＰ電話機に対して仮想的に収容位置情報を割り当て、かつ、当該仮想的に割り当てた収容位置情報にＩＰ電話機の電話番号を対応付ける仮想収容位置対応付けてし、ＩＰ電話機を接続するＩＰユニットによって、ＩＰ電話機のアドレス情報と前記仮想的に割り当てた収容位置情報とを対応付けし、ＩＰ電話機に係る発信若しくは着信に際し、電話番号から前記仮想的に割り当てた収容位置情報を読み出して、当該仮想的に割り当てた収容位置情報によってＩＰ電話機の交換接続を要求し、前記ＩＰユニットは、当該交換接続の要求に応じ、前記仮想的に割り当てた収容位置情報を基に交換制御の対象となるＩＰ電話機のアドレス情報を求めて、当該アドレス情報によって交換接続に係る制御情報をやり取りし、当該ＩＰ電話機の通話路を確立することを特徴とする。
【発明の効果】
【００１１】
本発明は、電話交換装置に接続されるＩＰ電話機を仮想的に電話機と同様の収容位置を割当するようにした仮想的な登録を行い、ＩＰ電話機と電話機間等のＬＡＮ及び交換スイッチ（タイムスイッチ）を介した呼接続、ＩＰ電話機間のＬＡＮのみを介した呼接続、若しくは、電話機間等の交換スイッチのみを介した呼接続を収容位置情報によって可能にして、ＩＰ電話機に係る呼接続制御を回線交換方式による動作と類似性を持たせ、呼接続制御に係る動作が簡素化することができるという効果がある。
【００１２】
また、ＩＰ電話機を仮想的に収容位置を割当するようにした仮想的な登録を行うことで、交換スイッチ（タイムスイッチ）容量に割当可能な電話機数以上の電話機が接続できるという効果がある。
【図面の簡単な説明】
【００１３】
【図１】本発明の電話交換装置を示すシステム構成図である。
【図２】本発明の電話交換装置におけるパッケージ（通話回路、通話端末等）搭載状態を示す説明図である。
【図３】本発明の電話交換装置におけるパッケージ搭載とハイウエイの対応関係を示す説明図である。
【図４】本発明の電話交換装置におけるＩＰ電話機を仮想的に収容して登録した状態の概念を示す説明図である。
【図５】本発明の電話交換装置に収容される内線ＩＰユニットを示すブロック構成図である。
【図６】本発明の電話交換装置の記憶装置に記憶されるテーブルであって、パッケージ（通話回路、通話端末等）の登録状態と使用状態を管理する収容状態管理テーブルを示す図である。
【図７】本発明の電話交換装置の記憶装置に記憶されるテーブルであって、ＩＰ電話機を仮想的に収容させるための仮想パッケージ（ＩＰ電話機）の登録状態と使用状態を管理する仮想収容状態管理テーブルを示す図である。
【図８】本発明の電話交換装置の内線ＩＰユニットに記憶されるテーブルであって、ＩＰ電話機を仮想的に収容させるための仮想収容位置とＩＰ電話機とを対応付けするＩＰ電話機管理テーブルを示す図である。
【図９】本発明の電話交換装置における交換接続動作（呼接続制御）に用いるメッセージの構成を示す説明図である。
【図１０】本発明の電話交換装置における交換接続動作（呼接続制御）を説明する第１の動作シーケンス図である。
【図１１】本発明の電話交換装置における交換接続動作（呼接続制御）動作を説明する第１の接続状態図である。
【図１２】本発明の電話交換装置における交換接続動作（呼接続制御）を説明する第２の動作シーケンス図である。
【図１３】本発明の電話交換装置における交換接続動作（呼接続制御）を説明する第３の動作シーケンス図である。
【図１４】本発明の電話交換装置における交換接続動作（呼接続制御）動作を説明する第２の接続状態図である。
【図１５】本発明の電話交換装置における他の実施形態のパッケージ（通話回路、通話端末等）搭載状態を示す説明図である。
【図１６】本発明の電話交換装置の記憶装置に記憶されるテーブルであって、パッケージ（通話回路、通話端末等）の登録状態と使用状態を管理する他の実施形態の収容状態管理テーブルを示す図である。
【図１７】本発明の電話交換装置における交換接続動作（呼接続制御）を説明する第４（他の実施形態）の動作シーケンス図である。
【図１８】本発明の電話交換装置における交換接続動作（呼接続制御）動作を説明する第３の接続状態図である。
【発明を実施するための形態】
【００１４】
以下、本発明の実施の形態について図面を参照しつつ説明する。
【００１５】
図１は、本発明の電話交換装置を示すシステム構成図である。図１において、電話交換装置（ＰＢＸ）１は、電話端末（電話機やデジタル多機能電話機等）や回線（公衆電話網６の局線や専用線等）の回線交換を行うタイムスイッチ（時分割スイッチ）（ＴＳＷ）１０を備えており、このタイムスイッチ１０には、ライン回路（ＬＩＮ）１１、デジタルライン回路（ＤＭＴＬＩＮ）１２、内線ＩＰユニット（ＳＶＣＵ）１３、一次群ＩＳＤＮトランク（ＰＲＩ）１４、及び基本ＩＳＤＮトランク（ＩＴＣ）１５が接続収容されている。
【００１６】
ここで、ライン回路１１は、複数台（本実施の形態では最大８台）のアナログ電話機（ＴＥＬ）３０を接続し、これらを制御（発信／着信制御等）して、電話交換装置１とのインターフェースを行うものであり、デジタルライン回路１２は、複数台（本実施の形態では最大８台）のデジタル多機能電話機（ＭＦＴ）３１を接続し、これらを制御（発信／着信制御等）して、電話交換装置１とのインターフェースを行うものである。
【００１７】
また、内線ＩＰユニット１３は、インターネット・プロトコル（ＩＰ）によってローカルエリアネットワーク（ＬＡＮ）５にて通信を行う複数台（本実施の形態では最大１２８台）のＩＰ電話機３２をＬＡＮ５を介して接続し、これらを制御（発信／着信制御等）して、電話交換装置１とのインターフェースを行うものであり、一次群ＩＳＤＮトランク１４は、公衆電話網６からの一次群ＩＳＤＮ回線を接続し、これを制御（発信／着信制御等）して、電話交換装置１とのインターフェースを行うものであり、更に、基本ＩＳＤＮトランク１５は、公衆電話網６からの基本ＩＳＤＮ回線を接続し、これを制御（発信／着信制御等）して、電話交換装置１とのインターフェースを行うものである。
【００１８】
また、電話交換装置１は中央制御装置（ＣＣ）１６を備えており、この中央制御装置１６は、電話交換装置１の全体を統制・制御して呼接続制御を行い、電話交換装置１が提供する機能（電話接続サービス）を実現させている。ＣＣバス１９を介して、中央制御装置１６には、記憶装置（ＭＥＭ）１７が接続されている。記憶装置１７には、中央制御装置１６が呼接続制御等の動作を行うためのプログラムや、システム設定条件，動作条件，機能条件，動作状態等の局データ（各種テーブル）が格納されているものである。更に、ＣＣバス１９には、電話交換装置１の動作に必要な前記局データを設定するために用いられるデータ端末（ＤＴＥ）４０を接続する入出力装置（ＩＯＣ）１９が接続されている。そして、電話交換装置１の使用にあたって、使用条件等に応じてデータ端末４０から記憶装置１７に対して局データを設定できるようにしている。
【００１９】
なお、本実施の形態において、アナログ電話機（ＴＥＬ）３０と、デジタル多機能電話機（ＭＦＴ）３１とを非ＩＰ電話機と総称する場合がある。非ＩＰ電話機は、回線交換方式のスイッチ（タイムスイッチ）に直接収容されるタイプの電話機や電話端末を示すものであり、ＬＡＮを介してパケット（ＩＰパケット）で通信を行うタイプのＩＰ電話機と区別して用いるために定義している。
【００２０】
図２は、本発明の電話交換装置におけるパッケージ（通話回路、通話端末等）搭載状態を示す説明図である。ここで、パッケージ（若しくはＰＫＧ）とは、ライン回路１１，デジタルライン回路１２，内線ＩＰユニット１３，一次群ＩＳＤＮトランク１４，及び基本ＩＳＤＮトランク１５を構成するプリント回路板を総称するものである。
【００２１】
図２において、電話交換装置１は、複数のパッケージを自在に収容可能な複数のスロット（本実施の形態では１〜１６スロット）を備えており、使用者が必要とするシステム構成条件に応じて、必要なパッケージを選択して収容する。ＰＫＧ収容位置１０２は、パッケージ（ＰＫＧ）収容位置番号であり、ＰＫＧ収容位置番号１〜４にはライン回路１１、ＰＫＧ収容位置番号５〜１１にはデジタルライン回路１２、ＰＫＧ収容位置番号１２には一次群ＩＳＤＮトランク１４、ＰＫＧ収容位置番号１５には基本ＩＳＤＮトランク１５、更に、ＰＫＧ収容位置番号１６には内線ＩＰユニット１３がそれぞれ収容された構成を示している。本実施の形態の電話交換装置１では、各ＰＫＧ収容位置（スロット）が、それぞれ８回路（８チャネル（ｃｈ））分の音声通話路を扱える容量を付与している。なお、内線ＩＰユニット１３は、ＩＰ電話機３２を仮想的にタイムスイッチ１０に収容して見せかけるために（すなわち、電話交換装置１が呼接続動作を行う場合にＩＰ電話機３２を非ＩＰ電話機と同様に取り扱えるようにするために）、仮想端末登録エリア１３０を構成している。
【００２２】
図３は、本発明の電話交換装置におけるパッケージ搭載とハイウエイの対応関係を示す説明図である。
【００２３】
図３において、図２に示す各ＰＫＧ収容位置（スロット）に対して、それぞれ８回路（８ｃｈ）分の音声通話路が割り当てられるように構成されており、また、タイムスイッチ１０のハイウェイ（Ｈ／Ｗ）は、１ハイウェイ当たり６４タイムスロット（ＴＳ）があり、６４通話路分の回線交換処理できるように構成されている。そして、図３に示すとおり、ＰＫＧ収容位置番号１（ＰＫＧ０１）に収容されるパッケージ（本実施の形態ではライン回路１１）の８回路分、すなわち１ｃｈ〜８ｃｈがそれぞれハイウェイ１のタイムスロット０，２，４，６，８，１０，１２，１４に割り当てられている。同様に、ＰＫＧ収容位置番号２（ＰＫＧ０２）に収容されるパッケージの８回路分、すなわち１ｃｈ〜８ｃｈがそれぞれハイウェイ１のタイムスロット１，３，５，７，９，１１，１３，１５に割り当てられている。
【００２４】
すなわち、ＰＫＧ収容位置番号１〜８（ＰＫＧ０１〜０８）に収容されるパッケージはハイウェイ１のタイムスロットに個々に割り付けられており、ＰＫＧ収容位置番号９〜１６（ＰＫＧ０９〜１６）に収容されるパッケージはハイウェイ２のタイムスロットに個々に割り付けられている。そして、交換接続により呼接続を行う場合は、それぞれ割り当てられたタイムスロットにおける時分割交換処理を行うことで、回線交換動作を行うようにしている。
【００２５】
図４は、本発明の電話交換装置におけるＩＰ電話機を仮想的に収容して登録した状態の概念を示す説明図である。これは、図２に示したように内線ＩＰユニット１３を接続（収容）して、ＩＰ電話機３２を収容可能にする際に、ＩＰ電話機３２を仮想的にタイムスイッチ１０に収容して見せかけて、電話交換装置１が呼接続動作を行う場合に、ＩＰ電話機３２を非ＩＰ電話機と同等に取り扱えるようにするものである。
【００２６】
図４において、電話交換装置１は、複数のＩＰ電話機を収容する仮想的なパッケージを収容可能な複数の仮想スロット（本実施の形態では１７〜３２スロットの１６スロット）を備えている。ＰＫＧ収容位置１３２は、仮想パッケージ（ＰＫＧ）収容位置番号であり、ＰＫＧ収容位置番号１７〜３２は、ＩＰ電話機を収容する仮想的なパッケージが収容されているものとして、それぞれの仮想的なパッケージに８台のＩＰ電話機が接続可能であるように、論理的に構成している。また、本実施の形態では、図２に示した説明図と同様に、各ＰＫＧ収容位置（スロット）が、それぞれ８回路（８チャネル（ｃｈ））分の音声通話路を扱えるものとしている。
【００２７】
図５は、本発明の電話交換装置に収容される内線ＩＰユニットを示すブロック構成図である。
【００２８】
図５において、内線ＩＰユニット１３は、電話交換装置１のタイムスイッチ１０（タイムスイッチのハイウェイ１又は２）と音声情報をやり取りするハイウェイインタフェース部（Ｈ／Ｗ  Ｉ／Ｆ部）１３Ａと、電話交換装置１の中央制御装置１６と交換動作の呼制御に係る呼制御情報（制御メッセージ）をやり取りする中央制御装置インタフェース部（ＣＣ  Ｉ／Ｆ部）１３Ｂとを備えている。ハイウェイインタフェース部１３Ａには、音声処理部１３Ｃが接続されており、この音声処理部１３Ｃは音声情報の標本化、量子化、圧縮及び伸張を行うための８つの音声処理回路Ｃ１〜Ｃ８が備えてある。すなわち、音声処理部１３Ｃはデジタルシグナルプロセッサで構成されており、デジタルシグナルプロセッサのプログラムによって、音声処理を同時に８チャネル分行えるように構成してある。これにより、８つの音声処理回路Ｃ１〜Ｃ８が備えられているように取り扱われるものとなっている。
【００２９】
また、音声処理部１３Ｃには、ＲＴＰ（Ｒｅａｌ−ｔｉｍｅ  Ｔｒａｎｓｐｏｒｔ  Ｐｒｏｔｏｃｏｌ）処理部１３Ｄが接続されており、このＲＴＰ処理部１３ＤはＲＴＰの送受信を行う。すなわち、ＲＴＰ処理部１３Ｄは、音声処理部１３Ｃから得た音声情報をＲＴＰで伝達可能な形式に変換すると共に、これをＩＰパケット化して送信し、またＩＰパケットとして受信したＲＴＰで伝達された音声情報を取り出して音声処理部１３Ｃに送信するものである。なお、ＲＴＰ処理部１３Ｄは、中央制御装置インタフェース部１３Ｂとも接続されており、中央制御装置１６とやり取りされる呼制御情報（制御メッセージ）に従って、音声処理部１３Ｃの音声処理回路（ｃｈ１〜ｃｈ８）Ｃ１〜Ｃ８を自在に選択接続して、これら音声処理回路Ｃ１〜Ｃ８からの音声情報をＲＴＰにて伝達可能な形式の音声情報とし、また、これに呼制御情報（制御メッセージ）に応じたＩＰヘッダを付与してＩＰパケット化したり、受信したＩＰパケットについて呼制御情報（制御メッセージ）に応じてＩＰヘッダを解析し、ＩＰパケット内のＲＴＰにて伝達された音声情報を、音声処理部１３Ｃの音声処理回路Ｃ１〜Ｃ８を自在に選択接続して送信するものである。
【００３０】
また、ＲＴＰ処理部１３Ｄには、ＬＡＮインタフェース部（ＬＡＮ  Ｉ／Ｆ部）１３Ｈが接続されており、このＬＡＮインタフェース部１３Ｈは、ＬＡＮ５とのインタフェースを行うものであって、ＲＴＰ処理部１３Ｄから得たＩＰパケット化されたＲＴＰ形式の音声情報をＬＡＮ５に送信し、また、ＬＡＮ５から受信したＩＰパケット化されたＲＴＰ形式の音声情報をＲＴＰ処理部１３Ｄに送信するインタフェースの動作を行う。
【００３１】
更に、中央制御装置インタフェース部１３Ｂには、呼制御部１３Ｅが接続されており、呼制御部１３Ｅは中央制御装置１６とやり取りされる所定フォーマットの呼制御情報（制御メッセージ）に応じてＩＰ電話機３２との呼接続に係る制御処理を行う。すなわち、呼制御部１３Ｅはこの所定フォーマットの呼制御情報（制御メッセージ）に応じて、必要があれば編集した上、ＩＰヘッダを付与して呼制御情報（制御メッセージ）をＩＰパケット化し、これをＬＡＮインタフェース部１３Ｈを介して対象となるＩＰ電話機３２へ送信したり、ＬＡＮインタフェース部１３Ｈを介してＩＰ電話機３２から受信したＩＰパケットのＩＰヘッダを解析し、ＩＰパケット内の呼制御情報（制御メッセージ）に応じて、必要があれば編集した上、所定フォーマットの呼制御情報（制御メッセージ）として、これを中央制御装置１６へ送信したりするものである。
【００３２】
また、ＬＡＮインタフェース部１３Ｈには、登録制御部１３Ｆが接続されている。この登録制御部１３Ｆは、ＩＰ電話機３２を電話交換装置１の内線電話端末として使用するために登録させる処理を行うものである。すなわち、ＩＰ電話機３２を内線電話端末として登録するために、ＩＰ電話機３２はオンライン状態になると、ＬＡＮ５を介して内線ＩＰユニット１３に登録要求情報を送信し登録要求を行う。この登録要求情報は、ＩＰ電話機３２が使用するＩＰアドレス（電話番号とは異なる形態のアドレス情報）や内線番号（電話番号）などが含まれている。そして、内線ＩＰユニット１３は、登録要求情報をＬＡＮインタフェース部１３Ｈを介して登録制御部１３Ｆで受信して、登録制御部１３Ｆに接続されている記憶部１３Ｇにこの登録状態を書き込む制御をしている。なお、記憶部１３Ｇは、呼制御部１３Ｅが呼接続に係る制御処理を行うために必要なＩＰ電話機管理テーブルを記憶しており、その登録状態はこのテーブルにて管理することができる。
【００３３】
図６は、本発明の電話交換装置の記憶装置に記憶されるテーブルであって、パッケージ（通話回路、通話端末等）の登録状態と使用状態を管理する収容状態管理テーブルを示す図である。
【００３４】
図６において、収容状態管理テーブル２０は、パッケージを搭載するＰＫＧ収容位置番号２０１Ａを有し、これは図２に示す電話交換装置１のＰＫＧ収容位置番号に対応するものである。そして、この各ＰＫＧ収容位置番号に対して回路番号（ｃｈ１〜ｃｈ８）２０１Ｂが付与されている。これは、各パッケージの回路（電話機や回線等の収容端子（ポート））を一義的に定義付けるためのものである。さらに、このＰＫＧ収容位置番号２０１Ａと回路番号２０１Ｂによって、その電話機や回線等の収容端子（ポート）である収容位置２０１が特定されるように構成されている。
【００３５】
また、収容位置２０１のそれぞれに対応して、種別２０２、内線番号２０３、局線番号２０４、ＩＰアドレス２０５、及び使用状態２０６の情報が記憶可能な構成となっている。種別２０２は、搭載されたパッケージの種別（ライン回路やデジタルライン回路等のパッケージ種別）に関する情報であり、内線番号２０３は、搭載されたパッケージの種別がライン回路やデジタルライン回路等の電話機を接続するものである場合における、当該電話機の内線番号（電話番号）を示す情報である。局線番号２０４は、搭載されたパッケージの種別が一次群ＩＳＤＮトランクや基本ＩＳＤＮトランク等の局線（公衆網回線）を接続するものである場合における、当該局線の電話番号を示す情報である。ＩＰアドレス２０５は、搭載されたパッケージの種別が内線ＩＰユニットでありＬＡＮに接続される場合における、当該内線ＩＰユニットのＬＡＮ側のＩＰアドレスを示す情報である。
【００３６】
また、使用状態２０６は、各収容位置２０１の状態を管理するフラグであり、収容位置２０１に対する電話機や回線が空き状態（未使用状態）か、塞がり状態（使用中状態）かを呼接続処理の過程で変更し管理するものである。このように、各収容位置２０１（ＰＫＧ収容位置番号２０１Ａと回路番号２０１Ｂ）に対して、種別２０２、内線番号２０３、局線番号２０４、ＩＰアドレス２０５、及び使用状態２０６の情報を記憶し、それぞれ管理できるように構成されている。
【００３７】
図７は、本発明の電話交換装置の記憶装置に記憶されるテーブルであって、ＩＰ電話機を仮想的に収容させるための仮想パッケージ（ＩＰ電話機）の登録状態と使用状態を管理する仮想収容状態管理テーブルを示す図である。
【００３８】
図７において、仮想収容状態管理テーブル２１は、仮想的なパッケージを搭載する仮想ＰＫＧ収容位置番号２１１Ａを有し、これは図４に示す電話交換装置１の仮想ＰＫＧ収容位置番号に対応するものである。そして、この各仮想ＰＫＧ収容位置番号に対して仮想回路番号（ｃｈ１〜ｃｈ８）２１１Ｂが付与されている。これは、仮想的な各パッケージの回路（ＩＰ電話機を接続しているようにみなす仮想的な収容端子（ポート））を一義的に定義付けるためのものである。さらに、この仮想ＰＫＧ収容位置番号２１１Ａと仮想回路番号２１１Ｂによって、そのＩＰ電話機の仮想的な収容端子（ポート）である仮想収容位置２１１が特定されるように構成されている。
【００３９】
また、仮想収容位置２１１のそれぞれに対応して、種別２１２、内線番号２１３、ＩＰアドレス２１４、及び使用状態２１５の情報が記憶可能な構成となっている。種別２１２は、接続される種別に関する情報であるＩＰ電話機が定義付けられており、内線番号２１３は、そのＩＰ電話機の内線番号を示す情報である。ＩＰアドレス２１４は、そのＩＰ電話機のＩＰアドレスを示す情報である。
【００４０】
また、使用状態２１５は、各仮想収容位置２１１の状態を管理するフラグであり、仮想収容位置２１１に対するＩＰ電話機や回線が空き状態（未使用状態）か、塞がり状態（使用中状態）かを呼接続処理の過程で変更し管理するものである。このように、各仮想収容位置２１１（仮想ＰＫＧ収容位置番号２１１Ａと仮想回路番号２１１Ｂ）に対して、種別２１２、内線番号２１３、ＩＰアドレス２１４、及び使用状態２１５の情報を記憶し、それぞれ管理できるように構成されている。
【００４１】
図８は、本発明の電話交換装置の内線ＩＰユニットに記憶されるテーブルであって、ＩＰ電話機を仮想的に収容させるための仮想収容位置とＩＰ電話機とを対応付けするＩＰ電話機管理テーブルを示す図である。
【００４２】
図８において、ＩＰ電話機管理テーブル２２は、仮想的なパッケージを搭載する仮想ＰＫＧ収容位置番号２２１Ａを有し、この各仮想ＰＫＧ収容位置番号に対して仮想回路番号（ｃｈ１〜ｃｈ８）２２１Ｂが付与されている。これは、仮想的な各パッケージの回路（ＩＰ電話機を接続しているようにみなす仮想的な収容端子（ポート））を一義的に定義付けるためのものである。さらに、この仮想ＰＫＧ収容位置番号２２１Ａと仮想回路番号２２１Ｂによって、そのＩＰ電話機の仮想的な収容端子（ポート）である仮想収容位置２２１が特定されるように構成されている。
【００４３】
また、仮想収容位置２２１のそれぞれに対応して、内線番号２２２、ＩＰアドレス２２３、及びログイン状態２２４の情報が記憶可能な構成となっている。仮想的な収容端子（ポート）である仮想収容位置２２１に接続されたものとしたＩＰ電話機の内線番号２２２は、仮想的な収容端子（ポート）である仮想収容位置２２１に接続されたものとしたＩＰ電話機の内線番号を示す情報であり、ＩＰアドレス２２３は、そのＩＰ電話機のＩＰアドレスを示す情報である。
【００４４】
また、ログイン状態２２４は、各仮想収容位置２１１の状態を管理するフラグであり、仮想収容位置２１１に対するＩＰ電話機がオンライン状態となり、このＩＰ電話機からログインされているか（ログイン有り）、ＩＰ電話機がオフライン状態であり、ＩＰ電話機からログインされていないか（ログイン無し）かを管理するものである。このように、各仮想収容位置２２１（仮想ＰＫＧ収容位置番号２２１Ａと仮想回路番号２２１Ｂ）に対して、内線番号２２２、ＩＰアドレス２２３、及びログイン状態２２４の情報を記憶し、それぞれ管理できるように構成されている。
【００４５】
図９は、本発明の電話交換装置における交換接続動作（呼接続制御）に用いるメッセージの構成を示す説明図である。
【００４６】
図９において、（Ａ）に示すメッセージ形式６０は、中央制御装置１６と、ライン回路１１、デジタルライン回路１２、内線ＩＰユニット１３、一次群ＩＳＤＮトランク１４、及び基本ＩＳＤＮトランク１５との間でやり取りされる実存する電話機や回線を制御するために用いるメッセージである。オーダー長６１はメッセージの長さを示す情報であり、オーダー種別６２は、個別オーダーか共通オーダーかを示す情報であり、ＰＫＧ収容位置番号６３は制御対象となる実ＰＫＧ収容位置番号を示す情報であり、回路番号６４は制御対象となる実回路番号を示す情報であり、さらに、制御メッセージは具体的な制御内容を示す情報である。すなわち、ＰＫＧ収容位置番号６３と回路番号６４とにより制御する電話機や回線を特定することができるように構成している。
【００４７】
また、図９において、（Ｂ）に示すメッセージ形式７０は、中央制御装置１６と、内線ＩＰユニット１３との間でやり取りされるＩＰ電話機を制御するために用いるメッセージである。オーダー長７１はメッセージの長さを示す情報であり、オーダー種別７２は、個別オーダーか共通オーダーかを示す情報であり、仮想ＰＫＧ収容位置番号７３は制御対象となる仮想的なＰＫＧ収容位置番号を示す情報であり、仮想回路番号７４は制御対象となる仮想的な回路番号を示す情報であり、ＰＫＧ収容位置番号７５は、物理的に存在するパッケージである内線ＩＰユニット１３のＰＫＧ収容位置番号を示す情報であり、さらに、制御メッセージは具体的な制御内容を示す情報である。すなわち、仮想ＰＫＧ収容位置番号７３と仮想回路番号７４とにより制御するＩＰ電話機を特定することができるように構成している。
【００４８】
次に、本発明の電話交換機における交換接続動作の第１の例を説明する。
【００４９】
図１０は、本発明の電話交換装置における交換接続動作（呼接続制御）を説明する第１の動作シーケンス図である。この動作シーケンス図は、ＩＰ電話機３２の一つが発信端末である発信ＩＰ電話機３２ａとなり、デジタル多機能電話機（以下、「多機能電話機」と称する。）３１の一つが着信端末である着信多機能電話機３１ａとして、発信ＩＰ電話機３２ａから着信多機能電話機３１ａへ発信し、通話する場合を示すものである。なお、発信ＩＰ電話機３２ａは事前に内線ＩＰユニット１３にログインの処理を実施しており、使用可能な状態になっているものであるものとする。
【００５０】
まず、発信ＩＰ電話機３２ａがオフフックされると（Ｓ１０１）、発信ＩＰ電話機３２ａは、ＬＡＮ５を介してＩＰパケットによる所定手順及びフォーマットにより内線ＩＰユニット１３へオフフックメッセージを送信する（Ｓ１０２）。内線ＩＰユニット１３は、このオフフックメッセージを受信すると、図９（Ｂ）に示すフォーマット形式により中央制御装置１６へ送信するオフフックメッセージを作成して、中央制御装置１６へ送信する（Ｓ１０３）。すると、中央制御装置１６は、発信ＩＰ電話機３２ａ（例えば、内線番号「２００１」）がオフフックしたことを認識し、図７に示す仮想収容状態管理テーブル２１の内線番号「２００１」のＩＰ電話機の使用状態を「塞がり状態」とする。
【００５１】
ここで、内線ＩＰユニット１３が発信ＩＰ電話機３２ａから何らかのメッセージを受信し、中央制御装置１６へメッセージを送信するために、図９（Ｂ）に示すフォーマット形式のメッセージを作成する処理について説明する。
【００５２】
内線ＩＰユニット１３は、発信ＩＰ電話機３２ａ（ＩＰ電話機）から何らかのメッセージ（例えばオフフックメッセージ）を受信すると、受信したメッセージ内に格納されている発信ＩＰ電話機３２ａのＩＰアドレスや内線番号を抽出して、図８に示すＩＰ電話機管理テーブルから対応する収容位置番号２２１（発信ＩＰ電話機を特定する仮想ＰＫＧ収容位置番号２２１Ａ収容位置番号と仮想回路番号２２１Ｂ）を求める。すなわち、例えば、発信ＩＰ電話機のＩＰアドレスが「１９２．１６８．０．１１」であり、内線番号が「２００１」である場合は、仮想ＰＫＧ収容位位置番号が「ＰＫＧ１７」で、仮想回路番号が「ｃｈ１」であるため、これらを図９（Ｂ）に示すフォーマット形式の仮想ＰＫＧ収容位置番号７３と仮想回路番号７４に格納し、かつ、ＰＫＧ収容位置番号７５には、自装置である内線ＩＰユニット１３のＰＫＧ収容位置番号である「ＰＫＧ１６」を格納する。また、制御メッセージ７６は発信ＩＰ電話機３２ａから受信したメッセージ内容（例えばオフフックである旨のメッセージ内容）を格納する。
【００５３】
なお、本発明の実施の形態の説明において、内線ＩＰユニット１３がＩＰ電話機から何らかのメッセージを受信し、中央制御装置１６へメッセージを送信するために、図９（Ｂ）に示すフォーマット形式のメッセージを作成する場合は、以上の処理を同様に行うものであり、以下、この内線ＩＰユニット１３による図９（Ｂ）に示すフォーマット作成手順の説明を省略する。
【００５４】
次に、発信ＩＰ電話機３２aがダイヤル操作されると（Ｓ１０４）、発信ＩＰ電話機３２ａは、ＬＡＮ５を介してＩＰパケットによる所定手順及びフォーマットにより内線ＩＰユニット１３へダイヤルメッセージを送信する（Ｓ１０５）。内線ＩＰユニット１３は、受信したダイヤルメッセージ内に格納されているダイヤル番号を抽出すると共に、発信ＩＰ電話機３２ａのＩＰアドレスや内線番号と、図８に示すＩＰ電話機管理テーブルから対応する収容位置番号２２１を求める。そして、図９（Ｂ）に示すフォーマット形式により中央制御装置１６へ送信するダイヤルメッセージを送信する（Ｓ１０６）。
【００５５】
すると、中央制御装置１６は、発信ＩＰ電話機３２ａ（内線番号「２００１」）から着信先のダイヤルを受信し、図６に示す収容状態管理テーブル２０と図７に示す仮想収容状態管理テーブル２１を参照して、着信先の電話機を特定する。例えば、着信先の電話機が多機能電話機３１ａであれば、その電話機を接続しているデジタル内線回路１２を介して着信メッセージを送信する（Ｓ１０７）。一方、中央制御装置１６は、発信した電話機がＩＰ電話機であると認識しているため、発信ＩＰ電話機３２ａに呼出中音を出力するように、図９（Ｂ）に示すフォーマット形式の呼出中音送出指示メッセージを作成し、これを内線ＩＰユニット１３に対して送信する（Ｓ１０８）。
【００５６】
ここで、中央制御装置１６が、内線ＩＰユニット１３を介して発信ＩＰ電話機３２ａ（ＩＰ電話機）に対し何らかのメッセージを送信するために、図９（Ｂ）に示すフォーマット形式のメッセージを作成する処理について説明する。
【００５７】
まず、中央制御装置１６は、図６に示す収容状態管理テーブルにより発信ＩＰ電話機３２ａに対応する仮想ＰＫＧ収容位位置番号（例えば「ＰＫＧ１７」）と仮想回路番号（例えば「ｃｈ１」）とを抽出し、これらを図９（Ｂ）に示すフォーマット形式の仮想ＰＫＧ収容位置番号７３と仮想回路番号７４に格納し、かつ、ＰＫＧ収容位置番号７５には、内線ＩＰユニット１３のＰＫＧ収容位置番号（例えば「ＰＫＧ１６」）を格納する。また、制御メッセージ７６は必要なメッセージ（例えば呼出中音送出指示メッセージ）を格納して、図９（Ｂ）に示すフォーマット形式のメッセージを作成する。
【００５８】
なお、本発明の実施の形態の説明において、中央制御装置１６が内線ＩＰユニット１３を介してＩＰ電話機に対し何らかのメッセージを送信するために、図９（Ｂ）に示すフォーマット形式のメッセージを作成する場合は、以上の処理を同様に行うものであり、以下、この中央制御装置１６による図９（Ｂ）に示すフォーマット作成手順の説明を省略する。
【００５９】
内線ＩＰ接続ユニット１３は、中央制御装置１６から図９（Ｂ）に示すフォーマット形式の呼出中音送出指示メッセージを受信すると、ＩＰパケットによる所定手順及びフォーマットにて呼出中音送出指示メッセージを作成し、これを発信ＩＰ電話機３２ａに送信する。すると、発信ＩＰ電話機３２ａは、受話器から呼出中音を出力する。
【００６０】
ここで、内線ＩＰユニット１３が、中央制御装置１６から図９（Ｂ）に示すフォーマット形式の何らかのメッセージを受信し、ＬＡＮ５を介して発信ＩＰ電話機３２ａへＩＰパケットにて所定手順及びフォーマットによるメッセージを作成する処理について説明する。
【００６１】
まず、内線ＩＰユニット１３は、図９（Ｂ）に示すフォーマット形式の何らかのメッセージ（例えば呼出中音送出指示メッセージ）受信すると、その図９（Ｂ）に示すフォーマットの仮想ＰＫＧ収容位位置番号７３と、仮想回路番号７４とを抽出し、図８に示すＩＰ電話機管理テーブルから対応する内線番号とＩＰアドレスを求める。例えば、仮想ＰＫＧ収容位位置番号が「ＰＫＧ１７」で、仮想回路番号が「ｃｈ１」であれば、メッセージ送信宛先となるＩＰ電話機のＩＰアドレスは「１９２．１６８．０．１１」であり、内線番号は「２００１」となる。そして、このＩＰアドレスを宛先としたＩＰヘッダが付与されたＩＰパケットであって、ＩＰパケットのペイロード部に、内線番号と中央制御装置１６から受信したメッセージ内容（呼例えば出中音送出指示メッセージ）を格納したＩＰパケットを作成し、所定手順によってこのＩＰパケットをＬＡＮ５へ送信する。すると、ＩＰアドレスとして「１９２．１６８．０．１１」が付与されている発信ＩＰ電話機３２ａがこのＩＰパケットを受信し、ＩＰパケットのペイロード部に格納されているメッセージ内容に応じた処理を行う。
【００６２】
なお、本発明の実施の形態の説明において、内線ＩＰユニット１３が中央制御装置１６から図９（Ｂ）に示すフォーマット形式の何らかのメッセージ受信し、これに応じて、ＩＰ電話機に対し何らかのメッセージを送信するためにＩＰパケットを作成する場合は、以上の処理を同様に行うものであり、以下、この内線ＩＰユニット１３による図９（Ｂ）に示すフォーマットのメッセージを受信し、ＩＰ電話機にＩＰパケットで送信する手順の説明を省略する。
【００６３】
さて、中央制御装置１６は、発信ＩＰ電話機３２ａに対して呼出中音送出指示を行うと共に、着信多機能電話機３１ａに呼出音を送出するように指示し（Ｓ１１０）、これにより、着信多機能電話機３１ａは、着信音を鳴動させる処理を行う。
【００６４】
この後、着信多機能電話機３１ａがオフフックされると（Ｓ１１１）、中央制御装置１６に応答メッセージを送信する（Ｓ１１２）。中央制御装置１６は、この応答メッセージを受信すると、タイムスイッチ１０を制御して（Ｓ１１３）、着信多機能電話機３１ａを接続しているデジタルライン回路１３と内線ＩＰユニット１３の間を接続する（Ｓ１１７）。このとき、中央制御装置１６は、図６に示す収容状態管理テーブルの使用状態２０６を参照して、内線ＩＰユニット１３の内、空き状態にある回路番号（例えばｃｈ１）を索選して、タイムスイッチ１０には、この空き状態にある回路番号の回路（図５の音声処理部１３Ｃ内の音声処理回路（例えばｃｈ１））と、着信多機能電話機３１ａの間に呼が接続されるように指示している。従って、この処理に応じて、中央制御装置１６は図６に示す収容状態管理テーブルにおけるＰＫＧ収容位置番号「ＰＫＧ１６」、回路番号「ｃｈ１」（中央制御装置１６が選択した回路番号）の収容位置２０１に対応する使用状態２０６を「塞がり状態」と書き込む。
【００６５】
更に、中央制御装置１６は、内線ＩＰユニット１３に対して、発信ＩＰ電話機３２ａとの通話セッションを確立させるために、通話相手である発信ＩＰ電話機３２ａを指定する情報である「発信ＩＰ電話機３２ａのＩＰアドレス」と、前記索選した発信ＩＰ電話機３２ａとの通話に使用する回路番号「ｃｈ１」を含むチャネルオープンメッセージを送信する（Ｓ１１４）。これにより、内線ＩＰユニット１３は、音声処理部１３Ｃの音声処理回路「ｃｈ１」Ｃ１を用い、かつ、ＩＰパケットのＲＴＰ手順に則り、ＬＡＮ５を介して発信ＩＰ電話機３１ａと音声情報のやり取りが可能な状態とする。
【００６６】
また、中央制御装置１６は、発信ＩＰ電話機３２ａに対して、内線ＩＰユニット１３との通話セッションを確立させるために、通話相手である内線ＩＰユニット１３を指定する情報である「内線ＩＰユニット１３のＩＰアドレス」を含むチャネルオープンメッセージを送信する（Ｓ１１５）。このチャネルオープンメッセージは、内線ＩＰユニット１３を介して送られるものであり、内線ＩＰユニット１３は中央制御装置１６から図９（Ｂ）に示すフォーマット形式のチャネルオープンメッセージを受信し、これに応じて、ＩＰパケット形式のチャネルオープンメッセージを作成し、これをＬＡＮ５を介して発信ＩＰ電話機３２ａに送信する（Ｓ１１６）。これにより、発信ＩＰ電話機３２ａは、ＩＰパケットのＲＴＰ手順に則り、ＬＡＮ５を介して内線ＩＰユニット１３と音声情報のやり取りが可能な状態とする。
【００６７】
そして、ＬＡＮ５を介して、ＩＰパケットのＲＴＰ手順に則り、内線ＩＰユニット１３と発信ＩＰ電話機３２ａとの間の通話路が確立されるため（Ｓ１１８）、ステップＳ１１３によるタイムスイッチ１０の制御で確立された着信多機能電話機３１ａを接続しているデジタルライン回路１３と内線ＩＰユニット１３との間の通話路と組み合わさって、図１１に示すように、発信ＩＰ電話機３２ａと着信多機能電話機３１ａとの間で音声通話が可能な状態になる。
【００６８】
通話が終了し、発信ＩＰ電話機３２ａがオンフックされると（Ｓ１１９）、発信ＩＰ電話機３２ａは内線ＩＰユニット１３にオンフックメッセージを送信し（Ｓ１２０）、内線ＩＰユニット１３はこれを受けて、中央制御装置１６に対して、オンフックメッセージを送信する（Ｓ１２１）。
【００６９】
すると、中央制御装置１６は、タイムスイッチ１０を制御して（Ｓ１２２）、着信多機能電話機３１ａに対して終話音を送信し（Ｓ１２３）、また、内線ＩＰユニット１３に対して、発信ＩＰ電話機３２ａとの通話セッションを終了させるためにチャネルクローズメッセージを送信する（Ｓ１２４）。このチャネルクローズメッセージには、通話相手である発信ＩＰ電話機３２ａを指定する「発信ＩＰ電話機３２ａのＩＰアドレス」と、発信ＩＰ電話機３２ａとの通話に使用した回路番号「ｃｈ１」とが含まれており、内線ＩＰユニット１３は、音声処理部１３Ｃの音声処理回路「ｃｈ１」Ｃ１を空き状態にして、かつ、ＩＰパケットのＲＴＰ手順を終了させる。従って、この処理に応じて、中央制御装置１６は図６に示す収容状態管理テーブルにおけるＰＫＧ収容位置番号「ＰＫＧ１６」、回路番号「ｃｈ１」の収容位置２０１に対応する使用状態２０６を「空き状態」と書き込む。
【００７０】
また、中央制御装置１６は、発信ＩＰ電話機３２ａに対して、内線ＩＰユニット１３との通話セッションを終了させるために、通話相手である内線ＩＰユニット１３を指定する情報である「内線ＩＰユニット１３のＩＰアドレス」を含むチャネルクローズメッセージを送信する（Ｓ１２５）。このチャネルクローズメッセージは、内線ＩＰユニット１３を介して送られるものであり、内線ＩＰユニット１３は中央制御装置１６から図９（Ｂ）に示すフォーマット形式のチャネルクローズメッセージを受信し、これに応じて、ＩＰパケット形式のチャネルクローズメッセージを作成し、これをＬＡＮ５を介して発信ＩＰ電話機３２ａに送信する（Ｓ１２６）。これにより、発信ＩＰ電話機３２ａは、ＩＰパケットのＲＴＰ手順を終了させる。なお、この処理に応じて、中央制御装置１６は、図７に示す仮想収容状態管理テーブル２１の内線番号「２００１」のＩＰ電話機の使用状態を「空き状態」とする。
【００７１】
この後、着信多機能電話機３１ａがオンフックされると（Ｓ１２７）、着信多機能電話機３１ａは中央制御装置１６に対してオンフックメッセージを送信し（Ｓ１２８）、一方、中央制御装置１６がこれを受信すると、着信多機能電話機３１aを開放して「空き状態」にすると共に、タイムスイッチ１０を制御して、着信多機能電話機３１ａに対する終話音の送信を停止し（Ｓ１２９）、処理を終了する。
【００７２】
以上、ＩＰ電話機３２の一つが発信端末である発信ＩＰ電話機３２ａとなり、多機能電話機の一つが着信端末である着信多機能電話機３１ａとして、発信ＩＰ電話機３２ａから着信多機能電話機３１ａへ発信し、通話する場合の動作シーケンスを説明した。
【００７３】
次に、本発明の電話交換機における交換接続動作の第２の例を説明する。
【００７４】
図１２は、本発明の電話交換装置における交換接続動作（呼接続制御）を説明する第２の動作シーケンス図である。この動作シーケンス図は、多機能電話機３１の一つが発信端末である発信多機能電話機３１ｂとなり、ＩＰ電話機３２の一つが着信端末である着信ＩＰ電話機３２ｂとして、発信多機能電話機３１ｂから着信ＩＰ電話機３２ｂへ発信し、通話する場合を示すものである。なお、着信ＩＰ電話機３２ｂは事前に内線ＩＰユニット１３にログインの処理を実施しており、使用可能な状態になっているものであるものとする。
【００７５】
まず、発信多機能電話機３１ｂがオフフックされると（Ｓ２０１）、発信多機能電話機３１ｂは、デジタルライン回路１２を介して中央制御装置１６へオフフックメッセージを送信する（Ｓ２０２）。すると、中央制御装置１６は、発信多機能電話機３１ｂ（例えば、内線番号「１１００」）がオフフックしたことを認識し、図６に示す収容状態管理テーブル２０の内線番号「１１００」の多機能電話機の使用状態を「塞がり状態」とする。
【００７６】
次に、発信多機能電話機３１ｂがダイヤル操作されると（Ｓ２０３）、発信多機能電話機３１ｂは、中央制御装置１６へダイヤルメッセージを送信する（Ｓ２０４）。すると、中央制御装置１６は、発信多機能電話機３１ｂ（内線番号「１１００」）から着信先のダイヤルを受信し、図６に示す収容状態管理テーブルと図７に示す仮想収容状態管理テーブル２１を参照して、着信先の電話機を特定する。例えば、着信先の電話機の内線番号が「２０１０」のＩＰ電話機（着信ＩＰ電話機３２ｂ）であれば、内線ＩＰユニット１３に対して着信メッセージを送信する（Ｓ２０５）。また、中央制御装置１６は、タイムスイッチ１０を制御して（Ｓ２０７）、発信多機能電話機３１ｂに対して、呼出中音を送出する（Ｓ２０８）。なお、この処理に応じて、中央制御装置１６は、図７に示す仮想収容状態管理テーブル２１の内線番号「２０１０」のＩＰ電話機の使用状態を「塞がり状態」とする。
【００７７】
一方、内線ＩＰユニット１３は、中央制御装置１６から図９（Ｂ）に示すフォーマット形式の着信メッセージを受信すると、前記したように、図８に示すＩＰ電話機管理テーブルから対応する内線番号とＩＰアドレスを求めて、ＩＰパケットによる所定手順及びフォーマットにて着信メッセージを作成し、これを着信ＩＰ電話機３２ｂに送信する。すると、着信ＩＰ電話機３２ｂは、呼出音を出力する。
【００７８】
この後、着信ＩＰ電話機３２ｂがオフフックされると（Ｓ２０９）、着信ＩＰ電話機３２ｂは内線ＩＰユニット１３に応答メッセージを送信する（Ｓ２１０）。すると、内線ＩＰユニット１３は、前記したように、図８に示すＩＰ電話機管理テーブルから着信ＩＰ電話機３２ｂに対応する収容位置番号２２１（発信ＩＰ電話機を特定する仮想ＰＫＧ収容位置番号２２１Ａ収容位置番号と仮想回路番号２２１Ｂ）を求めて、中央制御装置１６に対して図９（Ｂ）に示すフォーマット形式の応答メッセージを送信する（Ｓ２１１）。
【００７９】
中央制御装置１６は、この応答メッセージを受信すると、タイムスイッチ１０を制御して（Ｓ２１２）、発信多機能電話機３１ｂを接続しているデジタルライン回路１２と内線ＩＰユニット１３の間を接続する（Ｓ２１６）。このとき、中央制御装置１６は、図６に示す収容状態管理テーブルの使用状態２０６を参照して、内線ＩＰユニット１３の内、空き状態にある回路番号（例えばｃｈ１）を索選して、タイムスイッチ１０には、この空き状態にある回路番号の回路（図５の音声処理部１３Ｃ内の音声処理回路（例えばｃｈ１））と、発信多機能電話機３１ｂの間に呼が接続されるように指示している。従って、この処理に応じて、中央制御装置１６は図６に示す収容状態管理テーブルにおけるＰＫＧ収容位置番号「ＰＫＧ１６」、回路番号「ｃｈ１」（中央制御装置１６が選択した回路番号）の収容位置２０１に対応する使用状態２０６を「塞がり状態」と書き込む。
【００８０】
更に、中央制御装置１６は、内線ＩＰユニット１３に対して、着信ＩＰ電話機３２ｂとの通話セッションを確立させるために、通話相手である着信ＩＰ電話機３２ｂを指定する情報である「着信ＩＰ電話機３２ｂのＩＰアドレス」と、前記索選した着信ＩＰ電話機３２ｂとの通話に使用する回路番号「ｃｈ１」を含むチャネルオープンメッセージを送信する（Ｓ２１３）。これにより、内線ＩＰユニット１３は、音声処理部１３Ｃの音声処理回路「ｃｈ１」Ｃ１を用い、かつ、ＩＰパケットのＲＴＰ手順に則り、ＬＡＮ５を介して着信ＩＰ電話機３２ｂと音声情報のやり取りが可能な状態とする。
【００８１】
また、中央制御装置１６は、着信ＩＰ電話機３２ｂに対して、内線ＩＰユニット１３との通話セッションを確立させるために、通話相手である内線ＩＰユニット１３を指定する情報である「内線ＩＰユニット１３のＩＰアドレス」を含むチャネルオープンメッセージを送信する（Ｓ２１４）。このチャネルオープンメッセージは、内線ＩＰユニット１３を介して送られるものであり、内線ＩＰユニット１３は中央制御装置１６から図９（Ｂ）に示すフォーマット形式のチャネルオープンメッセージを受信し、これに応じて、ＩＰパケット形式のチャネルオープンメッセージを作成して、これをＬＡＮ５を介して着信ＩＰ電話機３２ｂに送信する（Ｓ２１５）。これにより、着信ＩＰ電話機３２ｂは、ＩＰパケットのＲＴＰ手順に則り、ＬＡＮ５を介して内線ＩＰユニット１３と音声情報のやり取りが可能な状態とする。
【００８２】
そして、ＬＡＮ５を介して、ＩＰパケットのＲＴＰ手順に則り、内線ＩＰユニット１３と着信ＩＰ電話機３２ｂとの間の通話路が確立されるため（Ｓ２１７）、ステップＳ２１２によるタイムスイッチ１０の制御で確立された発信多機能電話機３１ｂを接続しているデジタルライン回路１２と内線ＩＰユニット１３との間の通話路と組み合わさって、着信ＩＰ電話機３２ｂと発信多機能電話機３１ｂとの間で音声通話が可能になる。なお、その接続構成概要は、図１１に示すものと同様となる。
【００８３】
通話が終了し、発信多機能電話機３１ｂがオンフックされると（Ｓ２１８）、発信多機能電話機３１ｂは中央制御装置１６にオンフックメッセージを送信し（Ｓ２１９）、これを受信した中央制御装置１６は、タイムスイッチ１０を制御し、かつ、発信多機能電話機３１ｂを開放して「空き状態」にする（Ｓ２２０）。
【００８４】
また、中央制御装置１６は、着信した電話機がＩＰ電話機であると認識しているため、着信ＩＰ電話機３２ｂに終話音を出力するように、図９（Ｂ）に示すフォーマット形式の終話音送出指示メッセージを作成し、これを内線ＩＰユニット１３に対して送信する（Ｓ２２１）。内線ＩＰ接続ユニット１３は、中央制御装置１６から図９（Ｂ）に示すフォーマット形式の終話音送出指示メッセージを受信すると、ＩＰパケットによる所定手順及びフォーマットにて終話音送出指示メッセージを作成し、これを着信ＩＰ電話機３２ｂに送信する。すると、着信ＩＰ電話機３２ｂは、受話器から終話音を出力する。
【００８５】
この後、着信ＩＰ電話機３２ｂがオンフックされると（Ｓ２２３）、着信ＩＰ電話機３２ｂは内線ＩＰユニット１３にオンフックメッセージを送信し（Ｓ２２４）、内線ＩＰユニット１３はこれを受けて、中央制御装置１６に対して、オンフックメッセージを送信する（Ｓ２２５）。
【００８６】
すると、中央制御装置１６は、内線ＩＰユニット１３に対して、着信ＩＰ電話機３２ｂとの通話セッションを終了させるためにチャネルクローズメッセージを送信する（Ｓ２２６）。このチャネルクローズメッセージには、通話相手である着信ＩＰ電話機３２ｂを指定する情報である「着信ＩＰ電話機３２ｂのＩＰアドレス」と、着信ＩＰ電話機３２ｂとの通話に使用した回路番号「ｃｈ１」とが含まれており、内線ＩＰユニット１３は、音声処理部１３Ｃの音声処理回路「ｃｈ１」Ｃ１を空き状態にして、かつ、ＩＰパケットのＲＴＰ手順を終了させる。従って、この処理に応じて、中央制御装置１６は図６に示す収容状態管理テーブルにおけるＰＫＧ収容位置番号「ＰＫＧ１６」、回路番号「ｃｈ１」の収容位置２０１に対応する使用状態２０６を「空き状態」と書き込む。
【００８７】
また、中央制御装置１６は、着信ＩＰ電話機３２ｂに対して、内線ＩＰユニット１３との通話セッションを終了させるために、通話相手である内線ＩＰユニット１３を指定する情報である「内線ＩＰユニット１３のＩＰアドレス」を含むチャネルクローズメッセージを送信する（Ｓ２２７）。このチャネルクローズメッセージは、内線ＩＰユニット１３を介して送られるものであり、内線ＩＰユニット１３は中央制御装置１６から図９（Ｂ）に示すフォーマット形式のチャネルクローズメッセージを受信し、これに応じて、ＩＰパケット形式のチャネルクローズメッセージを作成し、これをＬＡＮ５を介して着信ＩＰ電話機３２ｂに送信する（Ｓ２２８）。これにより、着信ＩＰ電話機３２ｂは、ＩＰパケットのＲＴＰ手順を終了させる。なお、この処理に応じて、中央制御装置１６は、図７に示す仮想収容状態管理テーブル２１の内線番号「２０１０」のＩＰ電話機の使用状態を「空き状態」とする。
【００８８】
以上、多機能電話機３１の一つが発信端末である発信多機能電話機３１ｂとなり、ＩＰ電話機３２の一つが着信端末である着信ＩＰ電話機３２ｂとして、発信多機能電話機３１ｂから着信ＩＰ電話機３２ｂへ発信し、通話する場合の動作シーケンスを説明した。
【００８９】
次に、本発明の電話交換機における交換接続動作の第３の例を説明する。
【００９０】
図１３は、本発明の電話交換装置における交換接続動作（呼接続制御）を説明する第３の動作シーケンス図である。この動作シーケンス図は、ＩＰ電話機３２の一つが発信端末である発信ＩＰ電話機３２ａとなり、ＩＰ電話機３２の他の一つが着信端末である着信ＩＰ電話機３２ｂとして、発信ＩＰ電話機３２ａから着信ＩＰ電話機３２ｂへ発信し、通話する場合を示すものである。なお、発信ＩＰ電話機３２ａと着信ＩＰ電話機３２ｂとは事前に内線ＩＰユニット１３にログインの処理を実施しており、使用可能な状態になっているものであるものとする。
【００９１】
まず、発信ＩＰ電話機３２ａがオフフックされると（Ｓ３０１）、発信ＩＰ電話機３２ａは、ＬＡＮ５を介してＩＰパケットによる所定手順及びフォーマットにより内線ＩＰユニット１３へオフフックメッセージを送信する（Ｓ３０２）。内線ＩＰユニット１３は、このオフフックメッセージを受信すると、図９（Ｂ）に示すフォーマット形式により中央制御装置１６へ送信するオフフックメッセージを作成して、中央制御装置１６へ送信する（Ｓ３０３）。すると、中央制御装置１６は、発信ＩＰ電話機３２ａ（例えば、内線番号「２００１」）がオフフックしたことを認識し、図７に示す仮想収容状態管理テーブル２１の内線番号「２００１」のＩＰ電話機の使用状態を「塞がり状態」とする。
【００９２】
次に、発信ＩＰ電話機３２ａがダイヤル操作されると（Ｓ３０４）、発信ＩＰ電話機３２ａは、ＬＡＮ５を介してＩＰパケットによる所定手順及びフォーマットにより内線ＩＰユニット１３へダイヤルメッセージを送信する（Ｓ３０５）。内線ＩＰユニット１３は、受信したダイヤルメッセージ内に格納されているダイヤル番号を抽出すると共に、発信ＩＰ電話機３２ａのＩＰアドレスや内線番号と、図８に示すＩＰ電話機管理テーブルから対応する収容位置番号２２１を求める。そして、図９（Ｂ）に示すフォーマット形式により中央制御装置１６へ送信するダイヤルメッセージを送信する（Ｓ３０６）。
【００９３】
すると、中央制御装置１６は、発信ＩＰ電話機３２ａ（内線番号「２００１」）から着信先のダイヤルを受信し、図６に示す収容状態管理テーブル２０と図７に示す仮想収容状態管理テーブル２１を参照して、着信先の電話機を特定する。例えば、着信先の電話機の内線番号が「２０１０」のＩＰ電話機（着信ＩＰ電話機３２ｂ）であれば、内線ＩＰユニット１３に対して着信メッセージを送信する（Ｓ３０７）。なお、この処理に応じて、中央制御装置１６は、図７に示す仮想収容状態管理テーブル２１の内線番号「２０１０」のＩＰ電話機の使用状態を「塞がり状態」とする。
【００９４】
一方、内線ＩＰユニット１３は、中央制御装置１６から図９（Ｂ）に示すフォーマット形式の着信メッセージを受信すると、前記したように、図８に示すＩＰ電話機管理テーブルから対応する内線番号とＩＰアドレスを求めて、ＩＰパケットによる所定手順及びフォーマットにて着信メッセージを作成し、これを着信ＩＰ電話機３２ｂに送信する（Ｓ３０８）。すると、着信ＩＰ電話機３２ｂは、呼出音を出力する。
【００９５】
また、中央制御装置１６は、発信した電話機がＩＰ電話機であると認識しているため、発信ＩＰ電話機３２ａに呼出中音を出力するように、図９（Ｂ）に示すフォーマット形式の呼出中音送出指示メッセージを作成し、これを内線ＩＰユニット１３に対して送信する（Ｓ３０９）。内線ＩＰ接続ユニット１３は、中央制御装置１６から図９（Ｂ）に示すフォーマット形式の呼出中音送出指示メッセージを受信すると、ＩＰパケットによる所定手順及びフォーマットにて呼出中音送出指示メッセージを作成し、これを発信ＩＰ電話機３２ａに送信する（Ｓ３１０）。すると、発信ＩＰ電話機３２ａは、受話器から呼出中音を出力する。
【００９６】
この後、着信ＩＰ電話機３２ｂがオフフックされると（Ｓ３１１）、着信ＩＰ電話機３２ｂは内線ＩＰユニット１３に応答メッセージを送信する（Ｓ３１２）。すると、内線ＩＰユニット１３は、前記したように、図８に示すＩＰ電話機管理テーブルから着信ＩＰ電話機３２ｂに対応する収容位置番号２２１（着信ＩＰ電話機を特定する仮想ＰＫＧ収容位置番号２２１Ａ収容位置番号と仮想回路番号２２１Ｂ）を求めて、中央制御装置１６に対して図９（Ｂ）に示すフォーマット形式の応答メッセージを送信する（Ｓ３１３）。
【００９７】
一方、中央制御装置１６は、この応答メッセージを受信すると、発信ＩＰ電話機３２ａに対して、着信ＩＰ電話機３２ｂとの通話セッションを確立させるために、通話相手である着信ＩＰ電話機３２ｂを指定する情報である「着信ＩＰ電話機３２ｂのＩＰアドレス」を含むチャネルオープンメッセージを送信する（Ｓ３１４）。このチャネルオープンメッセージは、内線ＩＰユニット１３を介して送られるものであり、内線ＩＰユニット１３は中央制御装置１６から図９（Ｂ）に示すフォーマット形式のチャネルオープンメッセージを受信し、これに応じて、ＩＰパケット形式のチャネルオープンメッセージを作成し、これをＬＡＮ５を介して発信ＩＰ電話機へ送信する（Ｓ３１５）。
【００９８】
また、中央制御装置１６は、着信ＩＰ電話機３２ｂに対して、発信ＩＰ電話機３２ａとの通話セッションを確立させるために、通話相手である発信ＩＰ電話機３２ａを指定する情報である「発信ＩＰ電話機３２ａのＩＰアドレス」を含むチャネルオープンメッセージを送信する（Ｓ３１６）。前記と同様に、このチャネルオープンメッセージは、内線ＩＰユニット１３を介して送られるものであり、内線ＩＰユニット１３は中央制御装置１６から図９（Ｂ）に示すフォーマット形式のチャネルオープンメッセージを受信し、これに応じて、ＩＰパケット形式のチャネルオープンメッセージを作成し、これをＬＡＮ５を介して着信ＩＰ電話機３２ｂへ送信する（Ｓ３１７）。
【００９９】
これにより、発信ＩＰ電話機３２ａと着信ＩＰ電話機３２ｂの間で、ＩＰパケットのＲＴＰ手順に則り、ＬＡＮ５を介して音声情報のやり取りが可能な状態となる（Ｓ３１８）。なお、このようにＩＰ電話機間の通話接続のときには、図１４に示すように、電話交換装置１のタイムスイッチ１０を介さず、発信ＩＰ電話機３２ａと着信ＩＰ電話機３２ｂは、ＬＡＮ５によって直接ＩＰパケットによる音声情報を送受信するように構成している。
【０１００】
さて、通話が終了し、発信ＩＰ電話機３２ａがオンフックされると（Ｓ３１９）、発信ＩＰ電話機３２ａは内線ＩＰユニット１３にオンフックメッセージを送信し（Ｓ３２０）、内線ＩＰユニット１３はこれを受けて、中央制御装置１６に対して、オンフックメッセージを送信する（Ｓ３２１）。すると、中央制御装置１６は、発信ＩＰ電話機３２aに対して、着信ＩＰ電話機３１ｂとの通話セッションを終了させるために、通話相手である着信ＩＰ電話機３２ｂを指定する情報である「着信ＩＰ電話機３２ｂのＩＰアドレス」を含むチャネルクローズメッセージを送信する（Ｓ３２２）。このチャネルクローズメッセージは、内線ＩＰユニット１３を介して送られるものであり、内線ＩＰユニット１３は中央制御装置１６から図９（Ｂ）に示すフォーマット形式のチャネルクローズメッセージを受信し、これに応じて、ＩＰパケット形式のチャネルクローズメッセージを作成し、これをＬＡＮ５を介して発信ＩＰ電話機３２ａに送信する（Ｓ３２３）。これにより、発信ＩＰ電話機３２ａは、ＩＰパケットのＲＴＰ手順を終了させる。なお、この処理に応じて、中央制御装置１６は、図７に示す仮想収容状態管理テーブル２１の内線番号「２００１」のＩＰ電話機の使用状態を「空き状態」とする。
【０１０１】
また、中央制御装置１６は、着信した電話機がＩＰ電話機であると認識しているため、着信ＩＰ電話機３１ｂに終話音を出力するように、図９（Ｂ）に示すフォーマット形式の終話音送出指示メッセージを作成し、これを内線ＩＰユニット１３に対して送信する（Ｓ３２４）。内線ＩＰ接続ユニット１３は、中央制御装置１６から図９（Ｂ）に示すフォーマット形式の終話音送出指示メッセージを受信すると、ＩＰパケットによる所定手順及びフォーマットにて終話音送出指示メッセージを作成し、これを着信ＩＰ電話機３２ｂに送信する（Ｓ３２５）。すると、着信ＩＰ電話機３２ｂは、受話器から終話音を出力する。
【０１０２】
この後、着信ＩＰ電話機３２ｂがオンフックされると（Ｓ３２６）、着信ＩＰ電話機３２ｂは内線ＩＰユニット１３にオンフックメッセージを送信し（Ｓ３２７）、内線ＩＰユニット１３はこれを受けて、中央制御装置１６に対して、オンフックメッセージを送信する（Ｓ３２８）。
【０１０３】
一方、中央制御装置１６は、着信ＩＰ電話機３２ｂに対して、発信ＩＰ電話機３２ａとの通話セッションを終了させるために、通話相手である発信ＩＰ電話機３２ａを指定する情報である「発信ＩＰ電話機３２ａのＩＰアドレス」を含むチャネルクローズメッセージを送信する（Ｓ３２９）。このチャネルクローズメッセージは、内線ＩＰユニット１３を介して送られるものであり、内線ＩＰユニット１３は中央制御装置１６から図９（Ｂ）に示すフォーマット形式のチャネルクローズメッセージを受信し、これに応じて、ＩＰパケット形式のチャネルクローズメッセージを作成し、これをＬＡＮ５を介して着信ＩＰ電話機３２ｂに送信する（Ｓ３３０）。これにより、着信ＩＰ電話機３１ｂは、ＩＰパケットのＲＴＰ手順を終了させる。なお、この処理に応じて、中央制御装置１６は、図７に示す仮想収容状態管理テーブル２１の内線番号「２０１０」のＩＰ電話機の使用状態を「空き状態」とする。
【０１０４】
以上、ＩＰ電話機３２の一つが発信端末である発信ＩＰ電話機３２ａとなり、ＩＰ電話機３２の他の一つが着信端末である着信ＩＰ電話機３２ｂとして、発信ＩＰ電話機３２ａから着信ＩＰ電話機３２ｂへ発信し、通話する場合の動作シーケンスを説明した。
【０１０５】
次に、内線ＩＰユニットを複数枚搭載した場合の他の実施形態について説明する。
【０１０６】
ＩＰ電話機３２が、アナログ電話機３０、多機能電話機３１等の非ＩＰ電話機や公衆電話網６の回線と呼接続する場合は、内線ＩＰユニットの音声処理部（図５に示す音声処理部１３Ｃ）を使用する必要がある。例えば、本実施の形態では１枚の内線ＩＰユニット１３は音声処理部１３Ｃ内に音声処理回路Ｃ１〜Ｃ８を８回路（ｃｈ１〜ｃｈ８）分しか備えていないため、ＩＰ電話機３２と、アナログ電話機３０、多機能電話機３１等の非ＩＰ電話機や公衆電話網６の回線との接続は同時に８通話分しかできず、同時に８通話している状態で、更に発信操作が行われると、ビジー状態になる。
【０１０７】
本実施の形態では、内線ＩＰユニットを複数枚搭載することを可能にしており、ＩＰ電話機３２の設置台数やトラフィック状況に応じて、内線ＩＰユニットを複数枚搭載し、その同時通話可能数を増加させるようにしている。
【０１０８】
図１５は、本発明の電話交換装置における他の実施形態のパッケージ（通話回路、通話端末等）搭載状態を示す説明図である。図２に示すパッケージ（通話回路、通話端末等）搭載状態と相違する点は、ＰＫＧ収容位置番号１５に、基本ＩＳＤＮトランク１５に変えて、内線ＩＰユニット３３を収容したことにあり、ＰＫＧ収容位置番号１５に内線ＩＰユニット３３を、また、ＰＫＧ収容位置番号１６に内線ＩＰユニット１３をそれぞれ収容した構成となっている。なお、内線ＩＰユニット３３は、内線ＩＰユニット１３と同一のものであり、そのブロック構成図は図５に示すブロック構成図と同一のものである。
【０１０９】
図１６は、本発明の電話交換装置の記憶装置に記憶されるテーブルであって、図１５に示すようにパッケージを搭載した場合におけるパッケージ（通話回路、通話端末等）の登録状態と使用状態を管理する他の実施形態の収容状態管理テーブルを示す図である。
【０１１０】
図１６の収容状態管理テーブルは、図６に示す収容状態管理テーブルと同様の構成となっている。そして、図６との相違点を説明すれば、ＰＫＧ収容位置番号ＰＫＧ１５にも内線ＩＰユニットが収容されており、ＩＰアドレス２０５には、この内線ＩＰユニット３３がＬＡＮに接続される場合における、当該内線ＩＰユニット３３のＬＡＮ側のＩＰアドレスを示す情報が記憶されている。
【０１１１】
なお、このように内線ＩＰユニットを複数枚搭載した場合、いずれか一つを呼制御対応装置（マスター機）として、電話交換装置１の記憶装置１７に登録しておく。この呼制御対応装置は、交換動作における呼接続制御に用いる内線ＩＰユニットであり、呼制御対応装置以外の内線ＩＰユニットは、音声通話を行う場合の通話路を提供するためのみに使用されるものである。以下、本実施の形態では、内線ＩＰユニット１３を呼制御対応装置として登録した場合を例にして説明する。
【０１１２】
図１７は、本発明の電話交換装置における交換接続動作（呼接続制御）を説明する第４（他の実施形態）の動作シーケンス図である。以下、電話交換装置１に内線ＩＰユニットを複数枚（内線ＩＰユニット１３と内線ＩＰユニット３３）搭載した場合の動作を図１７を参照して説明する。
【０１１３】
図１７において、まず、着信多機能電話機３１ａと内線ＩＰユニット１３がタイムスイッチ１０を介して接続され、通話路が確立されており（Ｓ１１７）、また、内線ＩＰユニット１３と発信ＩＰ電話機３２ａがＬＡＮ５を介して通話セッションが張られ通話路が確立している（Ｓ１１８）。すなわち、着信多機能電話機３１ａと発信ＩＰ電話機３２ａが通話状態になっている。このステップＳ１１７及びステップＳ１１８までの動作は、図１０に示すステップＳ１０１からステップＳ１１６によるものと同一であるため、ここではこの説明を省略する。
【０１１４】
この状態において、発信多機能電話機３１ｂがオフフックされると（Ｓ４０１）、発信多機能電話機３１ｂは、デジタルライン回路１２を介して中央制御装置１６へオフフックメッセージを送信する（Ｓ４０２）。すると、中央制御装置１６は、発信多機能電話機３１ｂ（例えば、内線番号「１１００」）がオフフックしたことを認識し、図１６に示す収容状態管理テーブル２０の内線番号「１１００」の多機能電話機の使用状態を「塞がり状態」とする。
【０１１５】
次に、発信多機能電話機３１ｂがダイヤル操作されると（Ｓ４０３）、発信多機能電話機３１ｂは、中央制御装置１６へダイヤルメッセージを送信する（Ｓ４０４）。すると、中央制御装置１６は、発信多機能電話機３１ｂ（内線番号「１１００」）から着信先のダイヤルを受信し、図１６に示す収容状態管理テーブルと図７に示す仮想収容状態管理テーブル２１を参照して、着信先の電話機を特定する。例えば、着信先の電話機の内線番号が「２０１０」のＩＰ電話機（着信ＩＰ電話機３２ｂ）であれば、呼制御対応装置として機能している内線ＩＰユニット１３に対して着信メッセージを送信する（Ｓ４０５）。また、中央制御装置１６は、タイムスイッチ１０を制御して（Ｓ４０７）、発信多機能電話機３１ｂに対して、呼出中音を送出する（Ｓ４０８）。なお、この処理に応じて、中央制御装置１６は、図７に示す仮想収容状態管理テーブル２１の内線番号「２０１０」のＩＰ電話機の使用状態を「塞がり状態」とする。
【０１１６】
一方、内線ＩＰユニット１３は、中央制御装置１６から図９（Ｂ）に示すフォーマット形式の着信メッセージを受信すると、前記したように、図８に示すＩＰ電話機管理テーブルから対応する内線番号とＩＰアドレスを求めて、ＩＰパケットによる所定手順及びフォーマットにて着信メッセージを作成し、これを着信ＩＰ電話機３２ｂに送信する。すると、着信ＩＰ電話機３２ｂは、呼出音を出力する。
【０１１７】
この後、着信ＩＰ電話機３２ｂがオフフックされると（Ｓ４０９）、着信ＩＰ電話機３２ｂは内線ＩＰユニット１３に応答メッセージを送信する（Ｓ４１０）。すると、内線ＩＰユニット１３は、前記したように、図８に示すＩＰ電話機管理テーブルから着信ＩＰ電話機３２ｂに対応する収容位置番号２２１（着信ＩＰ電話機を特定する仮想ＰＫＧ収容位置番号２２１Ａ収容位置番号と仮想回路番号２２１Ｂ）を求めて、中央制御装置１６に対して図９（Ｂ）に示すフォーマット形式の応答メッセージを送信する（Ｓ４１１）。
【０１１８】
中央制御装置１６は、この応答メッセージを受信すると、タイムスイッチ１０を制御して（Ｓ４１２）、発信多機能電話機３１ｂを接続しているデジタルライン回路１２と内線ＩＰユニット３３の間を接続する（Ｓ４１６）。すなわち、この接続に際して、中央制御装置１６は、図１６に示す収容状態管理テーブルの使用状態２０６を参照して、内線ＩＰユニット１３の音声処理部１３Ｃ及び内線ＩＰユニット３３の音声処理部１３Ｃの内、空き状態にある回路番号を索選して、タイムスイッチ１０には、この空き状態にある回路番号の音声処理回路（図５の音声処理部１３Ｃ内の音声処理回路）と、発信多機能電話機３１ｂの間に呼が接続されるように指示している。本実施の形態では、中央制御装置１が内線ＩＰユニット３３の音声処理部１３Ｃ内の音声処理回路「ｃｈ８」Ｃ８を索線したものとしており、この処理に応じて、中央制御装置１６は図１６に示す収容状態管理テーブルにおけるＰＫＧ収容位置番号「ＰＫＧ１５」、回路番号「ｃｈ８」（中央制御装置１６が選択した内線ＩＰユニットの回路番号）の収容位置２０１に対応する使用状態２０６を「塞がり状態」と書き込む。
【０１１９】
更に、中央制御装置１６は、音声通話の通話路設定に用いる内線ＩＰユニット３３に対して、着信ＩＰ電話機３２ｂとの通話セッションを確立させるために、通話相手である着信ＩＰ電話機３２ｂを指定する情報である「着信ＩＰ電話機３２ｂのＩＰアドレス」と、前記索選した着信ＩＰ電話機３２ｂとの通話に使用する回路番号「ｃｈ８」を含むチャネルオープンメッセージを送信する（Ｓ４１３）。これにより、内線ＩＰユニット３３は、音声処理部１３Ｃの音声処理回路「ｃｈ８」Ｃ８を用い、かつ、ＩＰパケットのＲＴＰ手順に則り、ＬＡＮ５を介して着信ＩＰ電話機３２ｂと音声情報のやり取りが可能な状態とする。
【０１２０】
また、中央制御装置１６は、着信ＩＰ電話機３２ｂに対して、音声通話の通話路設定に用いる内線ＩＰユニット３３との通話セッションを確立させるために、通話相手である内線ＩＰユニット３３を指定する情報である「内線ＩＰユニット３３のＩＰアドレス」を含むチャネルオープンメッセージを送信する（Ｓ４１４）。このチャネルオープンメッセージは、内線ＩＰユニット１３を介して送られるものであり、内線ＩＰユニット１３は中央制御装置１６から図９（Ｂ）に示すフォーマット形式のチャネルオープンメッセージを受信し、これに応じて、ＩＰパケット形式のチャネルオープンメッセージを作成し、これをＬＡＮ５を介して着信ＩＰ電話機３２ｂに送信する（Ｓ４１５）。これにより、着信ＩＰ電話機３２ｂは、ＩＰパケットのＲＴＰ手順に則り、ＬＡＮ５を介して内線ＩＰユニット３３と音声情報のやり取りが可能な状態とする。
【０１２１】
そして、ＬＡＮ５を介して、ＩＰパケットのＲＴＰ手順に則り、内線ＩＰユニット３３と着信ＩＰ電話機３２ｂとの間の通話路が確立されるため（Ｓ４１７）、ステップＳ４１２によるタイムスイッチ１０の制御で確立された発信多機能電話機３１ｂを接続しているデジタルライン回路１２と内線ＩＰユニット３３との間の通話路と組み合わさって、着信ＩＰ電話機３２ｂと発信多機能電話機３１ｂとの間で音声通話が可能になる。なお、その接続構成概要は、図１８に示すものとなる。
【０１２２】
なお、この後の切断処理は、図１０若しくは図１２に示す動作シーケンスと同様であるため、この説明を省略する。
【０１２３】
以上、電話交換装置１に内線ＩＰユニットを複数枚（内線ＩＰユニット１３と３３）搭載した場合の動作を説明した。このように、内線ＩＰユニットを複数枚搭載し、いずれか一つを交換動作における呼接続制御に用いる呼制御対応装置とし、かつ、呼制御対応装置以外の内線ＩＰユニットを音声通話を行う場合の通話路の提供に用いるものとして構成することで、ＩＰ電話機３２の設置台数や呼のトラフィック状況に応じて、内線ＩＰユニットを複数枚搭載させることができ、同時通話可能数を容易に増加可能にしている。
【符号の説明】
【０１２４】
１  ・・・電話交換装置（ＰＢＸ）
１１・・・ライン回路（ＬＩＮ）
１２・・・デジタルライン回路（ＤＭＴＬＩＮ）
１３・・・内線ＩＰユニット（ＳＶＣＵ）
１４・・・一次群ＩＳＤＮトランク（ＰＲＩ）
１５・・・基本ＩＳＤＮトランク（ＩＴＣ）
１６・・・中央制御装置（ＣＣ）
１７・・・記憶装置（ＭＥＭ）
１８・・・入出力装置（ＩＯＣ）
３０・・・アナログ電話機（ＴＥＬ）
３１・・・デジタル多機能電話機（ＭＦＴ）
３２・・・ＩＰ電話機（ＩＰ−ＴＥＬ）
４０・・・データ端末装置
５  ・・・ローカルエリアネットワーク（ＬＡＮ）
６  ・・・公衆電話網
【図１】
2010187241.tif 000003
【図２】
2010187241.tif 000004
【図３】
2010187241.tif 000005
【図４】
2010187241.tif 000006
【図５】
2010187241.tif 000007
【図６】
2010187241.tif 000008
【図７】
2010187241.tif 000009
【図８】
2010187241.tif 000010
【図９】
2010187241.tif 000011
【図１０】
2010187241.tif 000012
【図１１】
2010187241.tif 000013
【図１２】
2010187241.tif 000014
【図１３】
2010187241.tif 000015
【図１４】
2010187241.tif 000016
【図１５】
2010187241.tif 000017
【図１６】
2010187241.tif 000018
【図１７】
2010187241.tif 000019
【図１８】
2010187241.tif 000020